(57)【要約】【課題】  ウォーターサーバ用タンクと、据置き用タンクは、夫々別のタンクを使用する。ウォーターサーバ用タンクは、蛇口がなく、ウォーターサーバ専用となる。ウォーターサーバ用タンクは、このウォーターサーバ用タンクの注ぐ口と、ウォーターサーバの注ぐ口との形状を合わせる。しかし、通常の据置き用タンクの注ぎ口は、合致せず、使用できないのが現実である。【解決手段】  ウォーターサーバと据置き使用態様の多目的タンクは、取手付きのタンク本体と首部本体で構成し、タンク本体の肩部には開口を備えた首部基端を形成し、首部基端の外周面の螺子には、首部本体の内螺子を螺合し、注ぎ口付き首部を有するウォーターサーバ用タンクに、また、首部基端の螺子には、取手付き蓋の内螺子を螺合し、タンク本体を据置き用タンクにする二通りの使用ができ、据置き用タンクに蛇口を設ける構成としたウォーターサーバと据置き使用態様の多目的タンクである。【選択図】      図１
2010264993.tif 000002
【特許請求の範囲】
【請求項１】
ウォーターサーバと据置き使用態様の多目的タンクにおいて、
この多目的タンクは、その側面に取手を設けたタンク本体と、このタンク本体の肩部に設けた開口を備えた首部基端と、この首部基端の外周面に設けた嵌合用の螺子に、噛合される内螺子を内設した首部本体とで構成されており、
この首部基端には、少なくとも、前記ウォーターサーバと据置き使用態様の首部本体が噛合される構造であり、
このウォーターサーバ使用態様は、前記首部基端の螺子に、ウォーターサーバ用タンクの首部本体の内螺子を螺合し、この首部本体に注ぎ口を備える構造のウォーターサーバ用タンクで、
また、この据置き使用態様は、前記首部基端の螺子に、据置き用タンクの首部本体の内螺子を螺合し、この首部本体は蓋を有するとともに、この据置き用タンクのタンク本体に蛇口を設ける構造の据置き用タンクである構成としたウォーターサーバと据置き使用態様の多目的タンク。
【請求項２】
請求項１に記載のウォーターサーバと据置き使用態様の多目的タンクであって、
前記ウォーターサーバ用の注ぎ口付き首部は、内螺子を備えた箇所が環状筒体と、この環状筒体より絞り込んだ首本体と、この首本体の絞り込み先端部に設けた注ぎ口で構成したウォーターサーバと据置き使用態様の多目的タンク。
【請求項３】
請求項１に記載のウォーターサーバと据置き使用態様の多目的タンクであって、
前記蓋の天板に冷暖水生成用のペルチェを挿入可能な孔を開設する構成したウォーターサーバと据置き使用態様の多目的タンク。
【請求項４】
請求項１に記載のウォーターサーバと据置き使用態様の多目的タンクであって、
前記蓋の取手の取付け部を、この天板の周辺部に設ける構成したウォーターサーバと据置き使用態様の多目的タンク。
【請求項５】
請求項２に記載のウォーターサーバと据置き使用態様の多目的タンクであって、
前記ウォーターサーバ用タンクの注ぎ口付き首部に、逆止弁を設ける構成したウォーターサーバと据置き使用態様の多目的タンク。
【発明の詳細な説明】
【技術分野】
【０００１】
本発明は、ウォーターサーバと据置き使用態様の多目的タンクであって、ウォーターサーバでの使用と、タンクでの使用を可能とするウォーターサーバと据置き使用態様の多目的タンクに関する。
【背景技術】
【０００２】
従来は、ウォーターサーバ使用態様のタンク（ウォーターサーバ用タンク）と、据置き使用態様のタンク（据置き用タンク）は、それぞれ別個のタンクを使用する。その理由の一例を説明すると、このウォーターサーバ用タンクは、蛇口（コック）を備えていないことから、当然、ウォーターサーバ専用となる。また、ウォーターサーバ用タンクにするには、このウォーターサーバ用タンクの首部の注ぎ口と、ウォーターサーバの注ぎ口との形状を合わせる必要があり、通常の据置き用タンクでは、この首部と注ぐ口の形状に合致せず、使用できないのが現実である。
【０００３】
これでは、極めて、厄介であり、兼用できるウォーターサーバと据置き使用態様の多目的タンクが望まれる処である。しかしながら、現実は、ウォーターサーバ用タンクと、据置き用タンクは、個別であり（個別タンクとする）、併用形は存在しない。そこで、個別のタンクに関して、先行文献を列挙する。但し、併用が可能とも考えられる文献とも読める。また、この種のウォーターサーバ用タンクは、大型形状になり、その取扱いと、持参に難渋することが考えられ、その改良が臨まれている。この改良に関する先行文献を列挙する。
【０００４】
文献（１）は、特開２００８−１５００６０の「把手付き容器と、その製造方法」であり、容器本体の底部に凹部を形成し、この凹部に把手を設けるとともに、この容器本体の首部に把手を設けた構造であり、大型容器の場合には、この両把手を利用し、簡易に容器を支持し、かつ運搬できることができる。しかし、この発明は、蛇口を備えず、据置き用タンクとしての使用はできない。
【０００５】
また、文献（２）は、特開２００５−２８９５１３の「携帯用ポリタンク」であり、この発明は、容器本体の上部と、下部の一側面に取手を設けた構造であり、文献（１）と同じ効果を考えている。しかし、この発明も、文献（１）と同じ課題を抱えている。
【０００６】
さらに、文献（３）は、実用新案登録第３１４６１８２号の「ウォーターサーバ用の給水容器」であり、この考案は、ウォーターサーバの底部に注水口を設け、またその天板部に大口径の開口を設けるとともに、この開口を蓋で閉塞する構造であって、このウォーターサーバに給水容器を用いずに、このウォーターサーバに給水できることを特徴とする。しかし、この考案は、取手（把手）が無く、支持と運搬に困ること、又は蛇口を備えず、据置き用タンクとしての使用はできない。
【０００７】
尚、文献（４）は、実用新案登録第３０２８００７号の「給水給油容器」であり、この考案は、容器本体の上部に給水給油口、注水注油口と、握手とを設け、また、側壁の下部に蛇口を設けた構造であり、据置き用タンクとしての使用が図れること、水、油等の保管と、給水、給油ができること等の利点がある。
【０００８】
【特許文献１】特開２００８−１５００６０
【特許文献２】特開２００５−２８９５１３
【特許文献３】実用新案登録第３１４６１８２号
【特許文献４】実用新案登録第３０２８００７号
【発明の概要】
【発明が解決しようとする課題】
【０００９】
前記文献（１）、（３）の発明等は、蛇口を有さず、ウォーターサーバ用タンクに留まり、据置き用タンクとしての機能を有さない。また、文献（２）は、携帯用ポリタンクであって、運搬用タンクの範疇である。即ち、この文献（１）〜（３）は、本発明が意図する多目的タンクとしての機能を有さず、改良の余地がある。
【００１０】
また、文献（４）の考案は、携帯用ポリタンクに蛇口を付けた構造であり、この考案は、単に、据置き用タンクの範疇であり、ウォーターサーバ用タンクには利用できない。即ち、この考案の携帯用ポリタンクは、本発明が意図する多目的タンクとしての機能を有さず、改良の余地がある。
【００１１】
以上で説明した如く、文献（１）〜（４）の各タンクと、市販の携帯用ポリタンクは、それぞれ一長一短があり、多目的タンクとし利用するには、改良の余地がある。
【００１２】
上記に鑑み、本発明は、ウォーターサーバ用タンクと、据置き用タンクとの兼用ができる多目的タンクを提供すること、そして、この目的を達成するために、タンクの首部基端において、ウォーターサーバ用タンクの首部本体と、据置き用タンクの首部本体を取替え可能とする。また、据置き用タンクの蓋と、タンク本体の側面に取手を設けることで、持運び（運搬）が簡便にできる構造とする。さらには、ウォーターサーバ用タンクの首部本体の注ぎ口を、ウォーターサーバの注ぎ口の形状に合致させることで、このウォーターサーバへの設置を可能とする。
【課題を解決するための手段】
【００１３】
請求項１の発明は、多目的タンクの首部基端に噛合される、ウォーターサーバ用タンクの首部本体と、据置き用タンクの首部本体を取替え可能とする構造とし、このウォーターサーバ用タンクと、据置き用タンクとの兼用ができる多目的タンクを提供する。また、据置き用タンクの蓋と、その側面に取手を設けることで、持運び（運搬）が簡便にできる構造とする。さらには、ウォーターサーバ用タンクの首部本体の注ぎ口を、ウォーターサーバの注ぎ口の形状に合致させることで、このウォーターサーバへの設置を可能とする。そして、また、蛇口の不都合を解消するために、止め栓を差込み可能とする。
【００１４】
請求項１は、ウォーターサーバと据置き使用態様の多目的タンクにおいて、
この多目的タンクは、その側面に取手を設けたタンク本体と、このタンク本体の肩部に設けた開口を備えた首部基端と、この首部基端の外周面に設けた嵌合用の螺子に、噛合される内螺子を内設した首部本体とで構成されており、
この首部基端には、少なくとも、前記ウォーターサーバと据置き使用態様の首部本体が噛合される構造であり、
このウォーターサーバ使用態様は、前記首部基端の螺子に、ウォーターサーバ用タンクの首部本体の内螺子を螺合し、この首部本体に注ぎ口を備える構造のウォーターサーバ用タンクで、
また、この据置き使用態様は、前記首部基端の螺子に、据置き用タンクの首部本体の内螺子を螺合し、この首部本体は蓋を有するとともに、この据置き用タンクのタンク本体に蛇口を設ける構造の据置き用タンクである構成としたウォーターサーバと据置き使用態様の多目的タンクである。
【００１５】
請求項２の発明は、請求項１の目的を達成することと、この目的を達成するのに最適な、ウォーターサーバの注ぎ口に合致するタンクの構造を提供することを意図する。
【００１６】
請求項２は、請求項１に記載のウォーターサーバと据置き使用態様の多目的タンクであって、
前記ウォーターサーバ用の注ぎ口付き首部は、内螺子を備えた箇所が環状筒体と、この環状筒体より絞り込んだ首本体と、この首本体の絞り込み先端部に設けた注ぎ口で構成したウォーターサーバと据置き使用態様の多目的タンクである。
【００１７】
請求項３の発明は、請求項１の目的を達成することと、この目的を達成するのに最適な、据置き用タンクの蓋の構造を提供することを意図する。
【００１８】
請求項３は、請求項１に記載のウォーターサーバと据置き使用態様の多目的タンクであって、
前記蓋の天板に冷暖水生成用のペルチェを挿入可能な孔を開設する構成したウォーターサーバと据置き使用態様の多目的タンクである。
【００１９】
請求項４の発明は、請求項１の目的を達成することと、この目的を達成するのに最適な、据置き用タンクの取手付き蓋の構造を提供することを意図する。
【００２０】
請求項４は、請求項１に記載のウォーターサーバと据置き使用態様の多目的タンクであって、
前記蓋の取手の取付け部を、この天板の周辺部に設ける構成したウォーターサーバと据置き使用態様の多目的タンクである。
【００２１】
請求項５の発明は、請求項２の目的を達成することと、この目的を達成するのに最適な、ウォーターサーバ用タンクの注ぎ口の構造を提供することを意図する。
【００２２】
請求項５は、請求項２に記載のウォーターサーバと据置き使用態様の多目的タンクであって、
前記ウォーターサーバ用タンクの注ぎ口付き首部に、逆止弁を設ける構成したウォーターサーバと据置き使用態様の多目的タンクである。
【発明の効果】
【００２３】
請求項１の発明は、ウォーターサーバと据置き使用態様の多目的タンクにおいて、
多目的タンクは、側面に取手を設けたタンク本体と、タンク本体の肩部に設けた開口を備えた首部基端と、首部基端の外周面に設けた嵌合用の螺子に、噛合される内螺子を内設した首部本体とで構成されており、
首部基端には、少なくとも、ウォーターサーバと据置き使用態様の首部本体が噛合される構造であり、
ウォーターサーバ使用態様は、首部基端の螺子に、ウォーターサーバ用タンクの首部本体の内螺子を螺合し、首部本体に注ぎ口を備える構造のウォーターサーバ用タンクで、
また、据置き使用態様は、首部基端の螺子に、据置き用タンクの首部本体の内螺子を螺合し、首部本体は蓋を有するとともに、据置き用タンクのタンク本体に蛇口を設ける構造の据置き用タンクである構成としたウォーターサーバと据置き使用態様の多目的タンクである。
【００２４】
従って、請求項１は、多目的タンクの首部基端に噛合される、ウォーターサーバ用タンクの首部本体と、据置き用タンクの首部本体を取替え可能とする構造とし、このウォーターサーバ用タンクと、据置き用タンクとの兼用ができる多目的タンクを提供できる。また、据置き用タンクの蓋と、その側面に取手を設けることで、持運び（運搬）が簡便にできる構造となる。さらには、ウォーターサーバ用タンクの首部本体の注ぎ口を、ウォーターサーバの注ぎ口の形状に合致させることで、このウォーターサーバへの設置を可能となる。そして、また、蛇口の不都合を解消するために、止め栓を差込み可能となる。
【００２５】
請求項２の発明は、請求項１に記載のウォーターサーバと据置き使用態様の多目的タンクであって、
ウォーターサーバ用の注ぎ口付き首部は、内螺子を備えた箇所が環状筒体と、環状筒体より絞り込んだ首本体と、首本体の絞り込み先端部に設けた注ぎ口で構成したウォーターサーバと据置き使用態様の多目的タンクである。
【００２６】
従って、請求項２は、請求項１の目的を達成できる。また、この目的を達成するのに最適な、ウォーターサーバの注ぎ口に合致するタンクの構造を提供できる。
【００２７】
請求項３の発明は、請求項１に記載のウォーターサーバと据置き使用態様の多目的タンクであって、
蓋の天板に冷暖水生成用のペルチェを挿入可能な孔を開設する構成したウォーターサーバと据置き使用態様の多目的タンクである。
【００２８】
従って、請求項３は、請求項１の目的を達成できる。また、この目的を達成するのに最適な、据置き用タンクの蓋の構造を提供できる。
【００２９】
請求項４の発明は、請求項１に記載のウォーターサーバと据置き使用態様の多目的タンクであって、
蓋の取手の取付け部を、天板の周辺部に設ける構成したウォーターサーバと据置き使用態様の多目的タンクである。
【００３０】
従って、請求項４は、請求項１の目的を達成できる。また、この目的を達成するのに最適な、据置き用タンクの取手付き蓋の構造を提供できる。
【００３１】
請求項５の発明は、請求項２に記載のウォーターサーバと据置き使用態様の多目的タンクであって、
ウォーターサーバ用タンクの注ぎ口付き首部に、逆止弁を設ける構成したウォーターサーバと据置き使用態様の多目的タンクである。
【００３２】
従って、請求項５は、請求項２の目的を達成できる。また、この目的を達成するのに最適な、ウォーターサーバ用タンクの注ぎ口の構造を提供できる。
【図面の簡単な説明】
【００３３】
【図１】ウォーターサーバにウォーターサーバ用タンク（多目的タンク）を設置した状態の縮尺俯瞰図
【図２】ウォーターサーバ用タンクを示した首部本体を分解して示した俯瞰図
【図３−１】据置き用タンク（多目的タンク）を示した首部本体を分解して示した俯瞰図
【図３−２】据置き用タンクに冷暖水生成用のペルチェを挿入した状態の首部本体を分解して示した俯瞰図
【図４】水素水発生具の一例を示した斜視図
【図５】従来（文献（４））の蛇口付き携帯用タンク（据置き用タンク）の一例を示した正面図
【発明を実施するための形態】
【００３４】
１は多目的タンクＡ（ウォーターサーバ用タンクと据置き用タンクに兼用できるタンク）のタンク本体で、このタンク本体１は、底部１００と、胴体部１０１と、この胴体部１０１の肩部１０１ａから絞られ、大径の開口１０２ａを備えた、首部Ｂを構成する筒状の首部基端１０２と、この首部基端１０２の外周面１０２ｂに設けた螺子１０３とで構成する。また、胴体部１０１の側面１０１ｂには、この胴体部１０１の外径内に収まる取手１０４を有する。図中１０５は、胴体部１０１に取手１０４を設けることで形成される空洞部である。
【００３５】
２はタンク本体１の底部１００の近傍に設けた蛇口で、この蛇口２を底部１００の近傍に設けることで、当該タンク本体１内の水素水、珪素水等の活性水素水を、略全部排出可能となる構造とする。また、このタンク本体１内に設けた図示しないフィルタを介して、真正な活性水を得ることも可能である。
【００３６】
３は多目的タンクＡの首部Ｂを構成するウォーターサーバ用タンクの首部本体で、この首部本体３は、首部基端１０２の外周面１０２ｂの螺子１０３に噛合する内螺子３００ａを有する環状筒体３００と、この環状筒体３００より絞り込んだ首本体３０１と、この首本体３０１の先端部に形成した注ぎ口３０２で構成する。そして、この首部本体３の環状筒体３００の内螺子３００ａを、前記首部基端１０２の外周面１０２ｂの螺子１０３に噛合し、この首部本体３の環状筒体３００を、タンク本体１の首部基端１０２に取付けることで、多目的タンクＡとなる。
【００３７】
また、３０は多目的タンクＡの首部Ｂを構成する据置き用タンクの首部本体で、この首部本体３０は、首部基端１０２の外周面１０２ｂの螺子１０３に噛合する内螺子３０００ａを有する環状筒体３０００と、この環状筒体３０００の天板３０００ｂを構成する蓋３００１とで構成し、必要により、この蓋３００１には、冷暖水生成（冷暖流体）用のペルチェ５を挿入する孔３００２を開設する。そして、この首部本体３０の環状筒体３０００の内螺子３０００ａを、前記首部基端１０２の外周面１０２ｂの螺子１０３に噛合し、この首部本体３０の環状筒体３０００を、タンク本体１の首部基端１０２に取付けることで、多目的タンクＡとなる。図中６は蓋３００１の上面３００１ａ（天板３０００ｂの周辺部３０００ｃ）に設けた取手であり、折畳み自在とし、前記ペルチェ５の挿入設置及び／又は取外しの作業に障害となることを回避し、かつその取扱いの容易化を図る。
【００３８】
図中７は活性水素水生成用の水素水発生具で、この水素水発生具７を、タンク本体１の首部基端１０２の開口１０２ａより挿入し、この挿入後に、この首部基端１０２に、首部Ｂ（首部本体３、３０の環状筒体３００、３０００）を取付ける。
【００３９】
次に、ウォーターサーバ用タンクの取扱いについて説明すると、タンク本体１の首部基端１０２に、首部本体３の環状筒体３００を取付け、水素水発生具７が収容された多目的タンクＡを構成し、この多目的タンクＡを、逆止弁（図示しない）の閉塞動作を利用し、逆さにした後、首本体３０１に設けた注ぎ口３０２を、ウォーターサーバＣの注ぎ口Ｃ１に、外嵌することで、逆止弁が開放され、この多目的タンクＡ内の活性水素水が、ウォーターサーバＣの槽（図示せず）に注ぎ込まれ、この槽内で、活性水素冷水、又は活性水素温水に変換する。そして、この活性水素冷水、又は活性水素温水を、コックＣ２の開閉で、コップＣ３等に注がれる構造である。
【００４０】
また、据置き用タンクの取扱いについて説明すると、タンク本体１の首部基端１０２に、首部本体３０の環状筒体３０００を取付け、水素水発生具７が収容された多目的タンクＡを構成し、この多目的タンクＡの蓋３００１に設けた孔３００２にペルチェ５を差込み、家庭用電源、又はバッテリー等の電源で、多目的タンクＡ内の活性水素水を、活性水素冷水、又は活性水素温水に変換する。そして、この活性水素冷水、又は活性水素温水を、蛇口２の開閉で、図示しないコップ等に注ぐ構造である。
【００４１】
尚、この多目的タンクＡを持運ぶ際には、タンク本体１の取手１０４と、蓋３００１の取手６を活用することで、安定的、かつ手軽に作業ができる。
【００４２】
また、図示しないが、タンク本体１の蛇口２の不都合を解消するために、この蛇口２は取外し可能とし、その開口２００に止め栓（図示せず）を差込み、この開口２００を閉塞することも可能であり、重宝すること、体裁（外観）が良いこと、又は商品価値の向上に寄与できること、等の特徴がある。
【符号の説明】
【００４３】
１            タンク本体
１００        底部
１０１        胴体部
１０１ａ      肩部
１０１ｂ      側面
１０２        首部基端
１０２ａ      開口
１０２ｂ      外周面
１０３        螺子
１０４        取手
１０５        空洞部
２            蛇口
２００        開口
３            首部本体
３００        環状筒体
３００ａ      内螺子
３０１        首本体
３０２        注ぎ口
３０          首部本体
３０００      環状筒体
３０００ａ    内螺子
３０００ｂ    天板
３０００ｃ    周辺部
３００１      蓋
３００１ａ    上面
３００２      孔
５            ペルチェ
６            取手
７            水素水発生具
Ａ            多目的タンク
Ｂ            首部
Ｃ            ウォーターサーバ
Ｃ１          注ぎ口
Ｃ２          コック
Ｃ３          コップ
【図１】
2010264993.tif 000003
【図２】
2010264993.tif 000004
【図３−１】
2010264993.tif 000005
【図３−２】
2010264993.tif 000006
【図４】
2010264993.tif 000007
【図５】
2010264993.tif 000008